(57)【要約】【課題】押縁と枠材との隙間を隠して良好な意匠が確保できる建具を提供すること。【解決手段】縦枠押縁材４３の上端縁４３７が上枠アングル材２２の室外側において、この上枠アングル材２２と見込み方向に重なって設けられているので、上端縁４３７を室内側から見えなくでき、縦枠押縁材４３の伸縮により上端縁４３７と上枠本体２１との間に隙間が生じたとしても、この隙間を隠蔽して嵌め殺し窓１の意匠性を良好にすることができる。【選択図】図５
2010037804.tif 000002
【特許請求の範囲】
【請求項１】
上下左右の枠材を四周枠組みして構成される枠体と、この枠体の内側に支持される面材とを備えた建具であって、
前記枠材は、枠材本体と、この枠材本体に着脱自在に取り付けられて前記面材を室内側から押圧する樹脂製の押縁材と、この押縁材よりも室内側に位置して前記枠材本体と連続する枠材室内部とを備え、
前記上下左右の枠材のうち、互いに交差する一対の枠材である第１枠材と第２枠材とにおいて、
第２枠材の前記押縁材である第２押縁材の長手方向端縁は、第１枠材の前記押縁材である第１押縁材の見付け方向内周面よりも内側に位置して設けられ、
前記第１押縁材の長手方向端縁は、前記第２枠材の前記枠材室内部である第２枠材室内部の室外側において当該第２枠材室内部と見込み方向に重なって設けられる建具。
【請求項２】
前記第２押縁材の室内側側面における見付け方向外端縁は、前記第２枠材室内部の室外側において当該第２枠材室内部と見込み方向に重なって設けられる請求項１に記載の建具。
【請求項３】
前記第１押縁材の室内側側面における見付け方向外側端縁は、前記第１枠材の前記枠材室内部である第１枠材室内部の室外側において当該第１枠材室内部と見込み方向に重なって設けられる請求項１または請求項２に記載の建具。
【請求項４】
前記枠材における枠材室内部は、前記枠材本体と別体で形成された樹脂製の枠材室内部材である請求項１から請求項３のいずれかに記載の建具。
【請求項５】
前記枠材における枠材本体には、前記押縁材を係合する係合部が設けられ、この係合部に係合されて前記押縁材が取り付けられている請求項１から請求項４のいずれかに記載の建具。
【発明の詳細な説明】
【技術分野】
【０００１】
本発明は、枠体および面材を備えた建具に関する。
【背景技術】
【０００２】
従来、建具として、窓枠と窓枠内部に固定されるガラスパネルとを備えた嵌め殺し窓（Ｆｉｘ窓）が知られている（例えば、特許文献１参照）。
特許文献１に記載された嵌め殺し窓では、上下左右の枠材で囲まれた内部にガラスパネルがセットされ、各枠材に係合するガラス押え部材がガラスパネルを室内側から押圧し、このガラス押え部材と各枠材の室外側片との間にガラスパネルを挟持することによって、ガラスパネルを支持する構造となっている。
【０００３】
【特許文献１】特許第３１７９０４８号公報
【発明の開示】
【発明が解決しようとする課題】
【０００４】
ところで、前記特許文献１に記載されたような従来の建具では、押縁（ガラス押え部材）が上下左右の枠材ごとに別体で形成され、上下左右の押縁が個別に各枠材に係合されるようになっている。このため、互いに交差して設けられる押縁同士のうち、一方の端部を他方よりも延ばして、つまり一方の押縁を他方に勝たせて設置する構成が一般的である。このような構成において、一方の押縁の長さ寸法としては、これに交差する一対の枠材同士の間隔寸法より若干小さく設定されているため、押縁の長手方向端縁と枠材との間に隙間ができてしまって外観を損ねるという問題がある。さらに、押縁が樹脂製である場合には、温度変化などによって押縁が伸縮しやすく、縮んだ際に枠材との隙間が拡がってしまい、さらに意匠性が低下するという問題もある。
【０００５】
本発明の目的は、押縁と枠材との隙間を隠して良好な意匠が確保できる建具を提供することにある。
【課題を解決するための手段】
【０００６】
本発明の建具は、上下左右の枠材を四周枠組みして構成される枠体と、この枠体の内側に支持される面材とを備えた建具であって、前記枠材は、枠材本体と、この枠材本体に着脱自在に取り付けられて前記面材を室内側から押圧する樹脂製の押縁材と、この押縁材よりも室内側に位置して前記枠材本体と連続する枠材室内部とを備え、前記上下左右の枠材のうち、互いに交差する一対の枠材である第１枠材と第２枠材とにおいて、第２枠材の前記押縁材である第２押縁材の長手方向端縁は、第１枠材の前記押縁材である第１押縁材の見付け方向内周面よりも内側に位置して設けられ、前記第１押縁材の長手方向端縁は、前記第２枠材の前記枠材室内部である第２枠材室内部の室外側において当該第２枠材室内部と見込み方向に重なって設けられることを特徴とする。
【０００７】
ここで、枠体としては、窓枠等の建具枠であってもよく、窓枠に支持された障子における障子枠であってもよい。そして、枠体が建具枠である場合の面材としては、建具枠に移動不能に支持されるガラスパネルや樹脂パネル等のパネル材であってもよく、建具枠に開閉不能に支持された固定障子であってもよい。一方、枠体が障子枠である場合の面材としては、ガラスパネルや樹脂パネル等のパネル材であればよい。
また、第１枠材と第２枠材とは、互いに交差する枠材であればよいので、第１枠材が上枠材や下枠材で第２枠材が縦枠材の組み合わせでもよく、第１枠材が縦枠材で第２枠材が上枠材や下枠材の組み合わせでもよい。そして、第１押縁材の見付け方向内周面よりも内側に第２押縁材の長手方向端縁が位置する状態とは、第１押縁材の端部が第２押縁材に勝って延びている状態を意味する。
【０００８】
以上の本発明によれば、第１枠材および第２枠材における、第１押縁材の長手方向端縁を第２枠材の第２枠材室内部の室外側において当該第２枠材室内部と見込み方向に重ねて設けたことで、第１押縁材の端縁が室内側から見えないようにでき、この端縁と第２枠材の枠材本体との間に隙間が生じたとしても、この隙間を第２枠材室内部によって隠蔽して建具の外観意匠性を良好にすることができる。そして、押縁材が樹脂製の本発明において、温度変化などによって押縁材が伸縮した場合でも、第１押縁材の端縁が第２枠材室内部によって隠蔽されていることから、伸縮による外観の変化が目立たず、意匠性を良好に維持することができる。
【０００９】
この際、本発明の建具では、前記第２押縁材の室内側側面における見付け方向外端縁は、前記第２枠材室内部の室外側において当該第２枠材室内部と見込み方向に重なって設けられることが好ましい。
このような構成によれば、第２押縁材の室内側側面を第２枠材室内部の室外側において当該第２枠材室内部と見込み方向に重ねることで、当該第２枠材の長手方向に沿った任意の位置において、第２押縁材の室内側側面と第２枠材の枠材本体とに隙間が生じたとしても、この隙間を第２枠材室内部によって隠蔽することができる。
【００１０】
さらに、本発明の建具では、前記第１押縁材の室内側側面における見付け方向外側端縁は、前記第１枠材の前記枠材室内部である第１枠材室内部の室外側において当該第１枠材室内部と見込み方向に重なって設けられることが好ましい。
このような構成によれば、第１押縁材の室内側側面を第１枠材室内部の室外側において当該第１枠材室内部と見込み方向に重ねることで、当該第１枠材の長手方向に沿った任意の位置において、第１押縁材の室内側側面と第１枠材の枠材本体とに隙間が生じたとしても、この隙間を第１枠材室内部によって隠蔽することができる。
【００１１】
また、本発明の建具では、前記枠材における枠材室内部は、前記枠材本体と別体で形成された樹脂製の枠材室内部材であることが好ましい。
このような構成によれば、樹脂製の押縁材と合わせて、この押縁材の室内側に位置する枠材室内部を樹脂製の枠材室内部材で構成することで、室内側から目立つ部分を樹脂製の部材で統一することができ、建具の意匠性を一層向上させることができる。
【００１２】
また、本発明の建具では、前記枠材における枠材本体には、前記押縁材を係合する係合部が設けられ、この係合部に係合されて前記押縁材が取り付けられていることが好ましい。
このような構成によれば、押縁材を枠材本体の係合部に係合させて取り付けることで、この係合位置が枠材室内部よりも室外側に位置することとなり、係合位置を目立たなくできるとともに、枠材室内部を樹脂製とした場合でも、枠材本体を金属製としておけば押縁材の取付強度を確保することができる。
【発明を実施するための最良の形態】
【００１３】
以下、本発明の実施形態を図面に基づいて説明する。
図１は、本発明の実施形態に係る建具である嵌め殺し窓１を室内側から見た正面図である。
嵌め殺し窓１は、建物の外壁開口部に設けられて建物の室内空間と室外空間とを仕切る建具であり、枠材である上枠２、下枠３および左右の縦枠４を四周枠組みした枠体である窓枠５と、この窓枠５の内部に移動不能に支持された面材であるガラスパネル（複層ガラス）６とを備えて構成されている。
【００１４】
上枠２は、枠材本体であるアルミ形材製の上枠本体２１と、この上枠本体２１の室内側に位置して額縁などに固定される枠材室内部材である樹脂製の上枠アングル材２２と、上枠本体２１に着脱自在に取り付けられてガラスパネル６を室内側から押圧する樹脂製の上枠押縁材２３とを備えて構成されている。下枠３は、枠材本体であるアルミ形材製の下枠本体３１と、この下枠本体３１の室内側に位置して床材などに固定される枠材室内部材である樹脂製の下枠アングル材３２とを備えて構成されている。縦枠４は、枠材本体であるアルミ形材製の縦枠本体４１と、この縦枠本体４１の室内側に位置して額縁などに固定される枠材室内部材である樹脂製の縦枠アングル材４２と、縦枠本体４１に着脱自在に取り付けられてガラスパネル６を室内側から押圧する樹脂製の縦枠押縁材４３とを備えて構成されている。
【００１５】
次に、上枠２の構造を図２も参照して説明する。図２は、嵌め殺し窓１の上枠２部分を拡大して示す縦断面図であり、図１に矢視II−II線で示す断面図である。
上枠２において、上枠本体２１は、上枠上面部２１１と、建物に固定される上枠固定面部２１２と、上枠上面部２１１に対向する上枠底面部２１３と、上枠上面部２１１から下方に延びる上枠延出面部２１４と、上枠本体２１の室内端に位置する上枠見付け面部２１５とを有して一体形成されている。上枠延出面部２１４の下端部室内側には、ガラスパネル６の室外面に当接して上枠押縁材２３とともにガラスパネル６の上端縁を保持する気密材（ＡＴ材）２４が取り付けられている。また、上枠本体２１における上枠見付け面部２１５の室外側に対向する位置には、この上枠見付け面部２１５とともに上枠アングル材２２に係合する上枠係合片部２１６が設けられている。さらに、上枠底面部２１３の室内側端部には、室内側に突出して上枠押縁材２３に係合する上枠突出片部２１７が設けられている。
【００１６】
上枠アングル材２２は、見込み方向に延びるアングル材本体２２１と、このアングル材本体２２１の室外側端部から上方（見付け方向外側）に延びる第１係合片２２２と、この第１係合片２２２の室内側に対向してアングル材本体２２１から上方に延びる第２係合片２２３とを有して一体形成されている。このような上枠アングル材２２は、第１係合片２２２の先端部が上枠係合片部２１６の突起に係合され、第２係合片２２３の先端部が上枠見付け面部２１５の突起に係合されることで、上枠本体２１に固定されるようになっている。
【００１７】
また、上枠押縁材２３は、室内側側面部２３１と、見付け方向内周面である底面部２３２と、室外側側面部２３３とを有し、上枠本体２１に沿って長尺状に形成されている。上枠押縁材２３の室外側側面部２３３下端部には、室外側に突出してガラスパネル６の室内面に当接する２条の気密ヒレ部２３４が形成され、これらの気密ヒレ部２３４によってガラスパネル６を室外側に向かって押圧できるようになっている。さらに、上枠押縁材２３において、室外側側面部２３３上端部には、第１係合部２３５が形成され、室内側側面部２３１の上端部よりも室外寄りの位置には、上方に延びる第２係合部２３６が形成されている。このような上枠押縁材２３は、第１係合部２３５が上枠突出片部２１７に係合され、第２係合部２３６が上枠係合片部２１６の下端部室外側端に当接されとともに、室内側側面部２３１の上端縁が上枠係合片部２１６の下端部に当接されることで、上枠本体２１に取り付けられるようになっている。
【００１８】
次に、下枠３の構造を図３も参照して説明する。図３は、嵌め殺し窓１の下枠３部分を拡大して示す縦断面図であり、図１に矢視III−III線で示す断面図である。
下枠３において、下枠本体３１は、下枠底面部３１１と、建物に固定される下枠固定面部３１２と、下枠底面部３１１に対向する下枠上面部３１３と、下枠上面部３１３から上方に延びる下枠延出面部３１４と、下枠本体３１の室内端に位置する下枠見付け面部３１５とを有して一体形成されている。下枠延出面部３１４の上端部室内側には、ガラスパネル６の室外面に当接する気密材（ＡＴ材）３４が取り付けられている。また、下枠本体３１における下枠見付け面部３１５の室外側には、この下枠見付け面部３１５とともに下枠アングル材３２に係合する下枠係合片部３１６が設けられている。そして、下枠係合片部３１６の室外側端とガラスパネル６の室内面との間には、後付ビード３３が圧入され、この後付ビード３３と気密材３４とでガラスパネル６の下端縁を保持するようになっている。また、下枠上面部３１３上には、セッティングブロック３５が適宜な間隔で設けられており、これらのセッティングブロック３５に載置されてガラスパネル６が支持されるようになっている。
【００１９】
下枠アングル材３２は、前記上枠アングル材２２と同一断面を有して形成され、アングル材本体３２１と、第１係合片３２２と、第２係合片３２３とを有して構成されている。このような下枠アングル材３２は、第１係合片３２２の先端部が下枠係合片部３１６の室内側端部に係合され、第２係合片３２３の先端部が下枠見付け面部３１５の突起に係合されることで、下枠本体３１に固定されるようになっている。
【００２０】
次に、縦枠４の構造を図４も参照して説明する。図４は、嵌め殺し窓１の縦枠４部分を拡大して示す横断面図であり、図１に矢視IV−IV線で示す断面図である。
縦枠４において、縦枠本体４１は、縦枠見込み面部４１１と、建物に固定される縦枠固定面部４１２と、縦枠見込み面部４１１から見付け方向内側に延びる縦枠延出面部４１４と、縦枠本体４１の室内端に位置する縦枠見付け面部４１５とを有して一体形成されている。縦枠延出面部４１４の先端部室内側には、ガラスパネル６の室外面に当接して縦枠押縁材４３とともにガラスパネル６の側端縁を保持する気密材（ＡＴ材）４４が取り付けられている。また、縦枠本体４１における縦枠見付け面部４１５の室外側に対向する位置には、この縦枠見付け面部４１５とともに縦枠アングル材４２に係合する縦枠係合片部４１６が設けられている。さらに、縦枠係合片部４１６の室外側に対向する位置には、縦枠押縁材４３に係合する縦枠突出片部４１７が設けられている。
【００２１】
縦枠アングル材４２は、前記上枠アングル材２２および下枠アングル材３２と同一断面を有して形成され、アングル材本体４２１と、第１係合片４２２と、第２係合片４２３とを有して構成されている。このような縦枠アングル材４２は、第１係合片４２２の先端部が縦枠係合片部４１６の突起に係合され、第２係合片４２３の先端部が縦枠見付け面部４１５の突起に係合されることで、縦枠本体４１に固定されるようになっている。
【００２２】
また、縦枠押縁材４３は、前記上枠押縁材２３と同一断面を有して形成され、室内側側面部４３１と、見付け方向内周面である縦枠押縁材側面部４３２と、室外側側面部４３３とを有し、縦枠本体４１に沿って長尺状に形成されている。縦枠押縁材４３の室外側側面部４３３には、室外側に突出してガラスパネル６の室内面に当接して押圧する２条の気密ヒレ部４３４が形成されている。このような縦枠押縁材４３は、室外側側面部４３３先端に形成された第１係合部４３５が縦枠突出片部４１７に係合され、室内側側面部４３１の室外寄りに形成された第２係合部４３６が縦枠係合片部４１６の室外側に当接されとともに、室内側側面部４３１の見付け方向外端縁が縦枠係合片部４１６先端部に当接されることで、縦枠本体４１に取り付けられるようになっている。
【００２３】
以上の嵌め殺し窓１において、図１に示すように、左右の縦枠押縁材４３の上端部は、上枠押縁材２３の底面部２３２よりも上方に延びて設けられ、上枠押縁材２３の長手方向端縁が縦枠押縁材側面部４３２よりも見付け方向内側に対向するか、または縦枠押縁材側面部４３２に当接して設けられている。すなわち、上枠押縁材２３の長さ寸法は、左右の縦枠押縁材４３における縦枠押縁材側面部４３２同士の間隔寸法よりも小さく形成され、左右の縦枠押縁材４３間に上枠押縁材２３が介挿されている。このように嵌め殺し窓１では、上枠押縁材２３に対して縦枠押縁材４３が勝って設置されており、この縦枠押縁材４３によって第１押縁材が構成され、上枠押縁材２３によって第２押縁材が構成されている。従って、縦枠４によって第１枠材が構成され、この縦枠４の縦枠アングル材４２によって第１枠材室内部が構成されるとともに、上枠２によって第２枠材が構成され、この上枠２の上枠アングル材２２によって第２枠材室内部が構成されている。
【００２４】
第１枠材である縦枠４において、図４に示すように、縦枠アングル材４２のアングル材本体４２１は見込み方向に延びて設けられ、縦枠本体４１の縦枠係合片部４１６の先端は、アングル材本体４２１の見込み面よりも見付け方向外側に位置して形成されている。そして、縦枠押縁材４３における室内側側面部４３１の見付け方向外端縁は、アングル材本体４２１の見込み面よりも見付け方向外側に延びて形成されるとともに、縦枠係合片部４１６の先端に当接して設けられている。従って、縦枠押縁材４３における室内側側面部４３１の見付け方向外端縁は、縦枠アングル材４２の室外側において、この縦枠アングル材４２と見込み方向に重なって設けられ、縦枠係合片部４１６との当接部分が室内側から見えないように構成されている。これにより、縦枠４の室内側からの見え掛かり部分は、ともに樹脂製の縦枠アングル材４２および縦枠押縁材４３で構成され、質感の統一された内観が形成されるようになっている。
【００２５】
第２枠材である上枠２においても縦枠４と同様、図２に示すように、上枠アングル材２２のアングル材本体２２１の見込み面よりも、上枠本体２１の上枠係合片部２１６の先端が上方（見付け方向外側）に位置して形成され、この上枠係合片部２１６の先端に当接する上枠押縁材２３における室内側側面部２３１の上端縁（見付け方向外端縁）は、アングル材本体２２１の見込み面よりも上方に延びて形成されている。従って、上枠押縁材２３における室内側側面部２３１の上端縁は、上枠アングル材２２の室外側において、この上枠アングル材２２と見込み方向に重なって設けられ、上枠係合片部２１６との当接部分が室内側から見えないように構成されている。これにより、上枠２においても、室内側からの見え掛かり部分が樹脂製の上枠アングル材２２および上枠押縁材２３で構成され、質感の統一された内観が形成されるようになっている。
【００２６】
次に、縦枠押縁材４３の上端と上枠２との関係について図５も参照して説明する。図５は、上枠２の端部を拡大して示す縦断面図であり、図１に矢視Ｖ−Ｖ線で示す断面図である。
縦枠押縁材４３の長手方向端縁である上端縁４３７は、上枠本体２１の上枠係合片部２１６の下端および上枠突出片部２１７の下面に当接するかまたは近接する位置まで延びて設けられている。従って、縦枠押縁材４３の上端縁４３７は、上枠アングル材２２におけるアングル材本体２２１の見込み面よりも上方に位置するとともに、上枠アングル材２２の室外側において、この上枠アングル材２２と見込み方向に重なって設けられている。ここで、縦枠押縁材４３とアングル材本体２２１の見込み面との重なり寸法としては、例えば１mm程度に設定されている。これにより、縦枠押縁材４３の上端縁４３７は、上枠アングル材２２に隠れて室内側から見えないように構成され、この上端縁４３７と上枠係合片部２１６とに隙間ができた場合でも、この隙間が室内側から隠蔽されるようになっている。
【００２７】
一方、縦枠押縁材４３の下端と下枠３との関係としては、図３に示すように、縦枠押縁材４３の下端縁４３８は、下枠係合片部３１６に当接して設けられており、この縦枠押縁材４３の縦枠押縁材側面部４３２および気密ヒレ部４３４（図４参照）と、下枠３の後付ビード３３とが当接して互いに連続するようになっている。また、縦枠押縁材４３の下端縁４３８は、下枠アングル材３２におけるアングル材本体３２１の見込み面よりも下方に位置するとともに、下枠アングル材３２の室外側において、この下枠アングル材３２と見込み方向に重なって設けられている。これにより、縦枠押縁材４３の下端縁４３８は、下枠アングル材３２に隠れて室内側から見えないように構成され、この下端縁４３８と下枠係合片部３１６とに隙間ができた場合でも、この隙間が室内側から隠蔽されるようになっている。
【００２８】
このような本実施形態によれば、以下のような効果がある。
（１）すなわち、縦枠押縁材４３の上端縁４３７が上枠アングル材２２の室外側において、この上枠アングル材２２と見込み方向に重なって設けられているので、上端縁４３７を室内側から見えなくでき、縦枠押縁材４３の伸縮により上端縁４３７と上枠本体２１との間に隙間が生じたとしても、この隙間を隠蔽して嵌め殺し窓１の意匠性を良好にすることができる。
【００２９】
（２）さらに、縦枠押縁材４３における室内側側面部４３１の見付け方向外端縁が縦枠アングル材４２の室外側において、この縦枠アングル材４２と見込み方向に重なって設けられているので、室内側側面部４３１と縦枠本体４１との間にに隙間が生じたとしても、この隙間を隠蔽することができる。一方、上枠２においても、上枠押縁材２３における室内側側面部２３１の上端縁が上枠アングル材２２の室外側において、この上枠アングル材２２と見込み方向に重なって設けられているので、室内側側面部２３１と上枠本体２１との間にに隙間が生じたとしても、この隙間を隠蔽することができる。従って、縦枠押縁材４３および上枠押縁材２３の各長手方向に沿った隙間が隠蔽されることで、嵌め殺し窓１の意匠性を一層良好にすることができる。
【００３０】
（３）また、上枠２および縦枠４において、上枠アングル材２２および縦枠アングル材４２が樹脂製とされて上枠本体２１および縦枠本体４１に取り付けられることで、これらの上枠アングル材２２および縦枠アングル材４２とともに樹脂製の上枠押縁材２３および縦枠押縁材４３によって、嵌め殺し窓１の室内側見え掛かり部分の質感を統一し、嵌め殺し窓１の意匠性をさらに向上させることができる。
【００３１】
なお、本発明は、前記実施形態に限定されるものではなく、本発明の目的を達成できる他の構成等を含み、以下に示すような変形等も本発明に含まれる。
例えば、前記実施形態においては、嵌め殺し窓１の窓枠５を枠体とし、ガラスパネル６を面材として説明したが、このような構成に限られない。すなわち、枠体に支持される面材としては、ガラスパネル６等のパネル材に限らず、固定障子であってもよく、この場合には、窓枠の押縁材によって固定障子を押圧して支持するような構成が採用可能である。また、窓枠等の建具枠に開閉可能または開閉不能に支持される障子を備えた建具において、障子の障子枠を枠体とし、この障子枠に支持されるガラスパネルや樹脂パネル等のパネル材を面材としてもよく、この場合には、障子枠を構成する上框や下框、縦框などによって枠材が構成され、この枠材に設けられる押縁材が設けられていればよい。
【００３２】
また、前記実施形態では、縦枠４を第１枠材とし、上枠２を第２枠材として説明したが、本発明における第１枠材としては上枠２や下枠３であってもよく、これらの上枠２や下枠３に交差する縦枠４を第２枠材とすることができる。具体的には、図６および図７に示すように、上枠２の上枠押縁材２３を縦枠４の縦枠押縁材４３に勝たせて配置することで、上枠押縁材２３で第１押縁材が構成され、縦枠押縁材４３で第２押縁材が構成されることとなる。この場合には、図７に示すように、上枠押縁材２３の長手方向側端縁２３７は、縦枠本体４１の縦枠係合片部４１６の先端および縦枠突出片部４１７の先端に当接するかまたは近接する位置まで延びて設けられている。従って、上枠押縁材２３の側端縁２３７は、縦枠アングル材４２におけるアングル材本体４２１の見込み面よりも見付け方向外側に位置するとともに、縦枠アングル材４２の室外側において、この縦枠アングル材４２と見込み方向に重なって設けられている。このような構成によれば、上枠押縁材２３の側端縁２３７と縦枠係合片部４１６とに隙間ができた場合でも、この隙間が室内側から隠蔽されるようになっている。
【００３３】
また、前記実施形態では、下枠３において、下枠本体３１の下枠係合片部３１６とガラスパネル６との間に後付ビード３３を圧入してガラスパネル６の下端縁を保持する構造を採用したが、これに限らず、下枠本体３１に係合してガラスパネル６を押圧する下枠押縁材を設けてもよい。この下枠押縁材としては、上枠押縁材２３や縦枠押縁材４３と同様の構造を有したものが利用できる。そして、下枠押縁材を採用した場合には、この下枠押縁材を第１押縁材として縦枠押縁材４３に勝たせて設置してもよく、下枠押縁材を第２押縁材とし、縦枠押縁材４３を下枠押縁材に勝たせて設置してもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る建具を室内側から見た正面図である。
【図２】前記建具の上枠部分を拡大して示す縦断面図である。
【図３】前記建具の下枠部分を拡大して示す縦断面図である。
【図４】前記建具の縦枠部分を拡大して示す横断面図である。
【図５】前記建具の上枠端部を拡大して示す縦断面図である。
【図６】本発明の変形例に係る建具を室内側から見た正面図である。
【図７】前記建具の縦枠上端部を拡大して示す縦断面図である。
【符号の説明】
【００３６】
１…嵌め殺し窓（建具）、２…上枠（第２枠材）、３…下枠、４…縦枠（第１枠材）、５…窓枠（枠体）、６…ガラスパネル（面材）、２１…上枠本体（枠材本体）、２２…上枠アングル材（第２枠材室内部）、２３…上枠押縁材（第２押縁材）、４１…縦枠本体（枠材本体）、４２…縦枠アングル材（第１枠材室内部）、４３…縦枠押縁材（第１押縁材）、２１６…上枠係合片部、２１７…上枠突出片部、４１６…縦枠係合片部、４１７…縦枠突出片部。
【図１】
2010037804.tif 000003
【図２】
2010037804.tif 000004
【図３】
2010037804.tif 000005
【図４】
2010037804.tif 000006
【図５】
2010037804.tif 000007
【図６】
2010037804.tif 000008
【図７】
2010037804.tif 000009